(57)【要約】【課題】機械的強度に優れ、透明板と木材が調和して両者の長所を良好に現出して外観性に優れ、透明板の交換が容易で、さらに、生産性に優れる透明扉を提供する。【解決手段】収納家具等の前面に設けられるものであって、矩形状の木枠１と、前記木枠１の上面に載置される板状で、透明または半透明のガラス２と、及び、前記木枠１を形成する枠材１ａの枠幅より幅狭な水平部３ａと、垂直部３ｂを有する断面Ｌ字状で、前記垂直部３ｂが前記木枠１の四周側面のそれぞれに固定部材４によって取り付けられることによって、前記水平部３ａが、前記ガラス２を上から前記木枠１に押し付けて固定する四本の縁材３とで構成する。【選択図】        図１
2006283490.tif 000002
【特許請求の範囲】
【請求項１】
収納家具等の前面に設けられる透明扉であって、
矩形状の木枠と、
前記木枠の上面に載置される板状で、透明または半透明の透明板と、及び、
前記木枠を形成する枠材の枠幅より幅狭な水平部と、垂直部を有する断面Ｌ字状で、前記垂直部が前記木枠の四周側面のそれぞれに固定部材によって取り付けられることによって、前記水平部が、前記透明板を上から前記木枠に押し付けて固定する四本の縁材と、からなることを特徴とする透明扉。
【請求項２】
前記木枠に取り付けられた前記縁材の水平部の下面と、前記木枠の上面との距離を、前記透明板の肉厚よりやや小さく設定したことを特徴とする請求項１に記載の透明扉。
【請求項３】
前記縁材の側面に、凹状の取っ手を形成したことを特徴とする請求項１または２に記載の透明扉。
【発明の詳細な説明】
【技術分野】
【０００１】
本発明は、収納家具の前面等に設けられる透明扉に関するものである。
【背景技術】
【０００２】
例えば、収納家具の前面に設けられる扉には、収納されている物を外から視覚されないように完全に隠すものと、ガラスを使用して、部分的又は全体的に視覚できるようにしたものとに大別できる。
【０００３】
このうち、後者の収納物を視覚できるようにガラスを使用した扉には、例えば、透明又は半透明のガラスに直接蝶番を取り付け、開閉可能としたものがある。これは、ガラスの持つ特質により軽快な印象を与えるので、ショーケースやステレオ等のキャビネット用として多用されてきた。
【０００４】
また、角材等で木枠を形成し、この中にガラスを組み込んだ扉がある。これは、ガラスが広く使用され始めた頃から広く採り入れられており、木枠に種々の装飾を施し、ガラスの持つ冷たさを緩和している。
また、近年では、ガラスの持つ軽快さと木枠の強度を発揮でき、それに新たな意匠性を加味するために、ガラスの端部を木枠にネジで接合したものがある（例えば、特許文献１参照）。さらに、木枠の前面にガラスを接着して一体化したものもある（例えば、特許文献２参照）。またさらに、木枠に段差を設けた扉も創案されている（例えば、特許文献３参照）。
【特許文献１】特開２０００−８７２０号公報
【特許文献２】特許第３１９６９１０号公報
【特許文献３】特開２００１−２８００２５号公報
【発明の開示】
【発明が解決しようとする課題】
【０００５】
しかしながら、上記した従来技術には、それぞれ次のような問題がある。
ガラスに直接蝶番を取り付けたものは、蝶番のサイズ等に制限が多く、しかもガラス自体の重量が相当に嵩むため、がたつきが生じ易い。また、全体として画一的で硬く冷たい無機質的な印象を与え、外観性に問題がある。
【０００６】
また、木枠にガラスを組み込んだものは、蝶番を木枠に取り付ける関係上、木枠の幅を大きく設定する必要があるため、例えば、３０ｃｍ角程度の扉において、５ｃｍ程度の幅が要求される。そのため、ガラスの占める割合が小さくなり、それが持つ軽快感が失われてしまう。また、木枠の幅を細くすると、強度が不足して、歪みやがたつきが生じ、耐久性に劣る。
【０００７】
また、ガラスの端部を木枠にネジで接合するものは、美観上、大きなネジを使用することができず、その数も限られてしまうため強度に問題が残る。又、ネジを強く締めすぎるとガラスを破損してしまうため、おのずと締め付けが弱くなり、その結果、がたつきや緩みが発生し易い。
【０００８】
さらに、木枠にガラスを接着するものは、施工当初は框の強度が低下することなく、がたつきも生じないものの、破損等でガラスを交換する場合に、当該ガラスの分離が極めて困難であり、木枠を含めた全体を交換する必要性が生じる。また、接着剤が経時変化によって変色したり、接着力の低下が起こり、さらには木枠とガラスとの熱及び水分による膨張・収縮の相違による歪が蓄積して接着層を破壊する恐れがある。これを防止するために、補助的固定手段として部分的にガラスを木ネジ等で固定すると良いが、そうするとガラスの長所である軽快性と平滑性を失ってしまうので好ましくない。
またさらに、木枠に段差を設けたものは、加工が面倒であり、生産性が悪いと言った問題がある。
【０００９】
そこで、本発明の目的とするところは、機械的強度に優れ、ガラス等の透明板と木材が調和して両者の長所を良好に現出して外観性に優れ、透明板の交換が容易で、さらに、生産性に優れる透明扉を提供することにある。
【課題を解決するための手段】
【００１０】
上記の目的を達成するために、本発明の請求項１に記載の透明扉は、収納家具等の前面に設けられるものであって、矩形状の木枠（１）と、前記木枠（１）の上面に載置される板状で、透明または半透明の透明板（２）と、及び、前記木枠（１）を形成する枠材（１ａ）の枠幅より幅狭な水平部（３ａ）と、垂直部（３ｂ）を有する断面Ｌ字状で、前記垂直部（３ｂ）が前記木枠（１）の四周側面のそれぞれに固定部材（４）によって取り付けられることによって、前記水平部（３ａ）が、前記透明板（２）を上から前記木枠（１）に押し付けて固定する四本の縁材（３）と、からなることを特徴とする。
なお、ここでいう、透明または半透明の透明板（２）とは、ガラスに限らず、ポリカーボネイト板，アクリル板といった透明（無色、有色を含む）のプラスチック板も含まれることを意味する。
【００１１】
また、請求項２に記載の発明は、前記木枠（１）に取り付けられた前記縁材（３）の水平部（３ａ）の下面と、前記木枠（１）の上面との距離（Ｄ）を、前記透明板（２）の肉厚（Ｔ）より小さく設定し、弾性変形を利用して、縁材（３）の水平部（３ａ）の下面を前記透明板（２）に押し付けるようにしたことを特徴とする。
【００１２】
さらに、請求項３に記載の発明は、前記縁材（３）の側面に、凹状の取っ手（５）を形成したことを特徴とする。
【００１３】
なお、カッコ内の記号は、図面および後述する発明を実施するための最良の形態に記載された対応要素または対応事項を示す。
【発明の効果】
【００１４】
本発明の請求項１に記載の透明扉によれば、矩形状の木枠と、前記木枠の上面に載置される板状のガラス等の透明板と、前記木枠を形成する枠材の枠幅より幅狭な水平部と、垂直部を有する断面Ｌ字状で、前記垂直部が前記木枠の四周側面のそれぞれにネジ等の固定部材によって取り付けられることによって、前記水平部が、前記透明板を上から前記木枠に押し付けて固定する四本の縁材とで構成したので、機械的強度に優れ、透明板と木材の長所を現出して外観性に優れ、透明板の交換が容易で、さらに生産性にも優れる。
【００１５】
すなわち、縁材を木枠に固定することによって透明板を木枠に固定するので、透明板に直接蝶番を取り付けたり、透明板を接着剤によって木枠に取り付ける必要がなく、よってがたつきや接着剤の経時変化が発生せず、長期間にわたって十分な強度を発揮することができる。
【００１６】
また、透明板は、その端部が縁材の水平部によって覆われるのみで、その大部分が露出するので、当該透明板の長所である軽快感を良好に現出することができる。さらに、当該透明板を透して木製の木枠が視覚されるので、木材の長所である温もり感と高級感を併せて現出することができる。従って、外観性に優れる。
【００１７】
また、こうした構成の透明扉は、外観は基本的に平滑性を有するが、縁材の突出部分がアクセントとなって、ガラス等の透明板の持つ冷たさを緩和する一方で、透明板の持つ透明感を生かすことができる。そのため、外観の見栄えが良い。
【００１８】
さらに、透明板は縁材によって木枠に固定されており、接着剤によっては固定されないので、透明板は、縁材を木枠から取り外すことによって容易に取り出して、新たなものと交換することができる。
【００１９】
また、本発明の請求項２に記載の発明によれば、請求項１に記載の発明の作用効果に加えて、木枠に取り付けられた縁材の水平部の下面と、木枠の上面との距離を、透明板の肉厚より小さく設定したので、当該水平部で透明板を上から木枠に強く押し付けて強固に固定することができる。これにより、透明扉の機械的強度をさらに高めることができる。
【００２０】
さらに、本発明の請求項３に記載の発明によれば、請求項１および２に記載の発明の作用効果に加えて、縁材の側面に、凹状の取っ手を形成したので、透明扉の外観を良好に保つことができる。すなわち、凹状の取っ手は突出しておらず目立たないので、木枠と透明板と縁材とで構成され平滑性を有する透明扉の形状を、害すことなく良好に維持することができる。
【発明を実施するための最良の形態】
【００２１】
図１乃至図４を参照して、本発明の実施形態に係る透明扉について説明する。図１は本実施形態に係る透明扉を示す分解斜視図であり、図２は、図１に示す透明扉の組立斜視図である。また、図３および図４は、当該透明扉の要部拡大断面斜視図である。
【００２２】
この透明扉は、収納家具の前面に設けられるものであり、木枠１、ガラス２、および四本の縁材３で構成される。木枠１は、四本の木製の枠材１ａを矩形状に組み付けて形成されている。また、ガラス２は、透明（半透明とすることもできる）で、木枠１の上面に載置される板状である。そして、縁材３は、木枠１を形成する枠材１ａの枠幅より幅狭な水平部３ａと、垂直部３ｂを有する断面Ｌ字状であり、垂直部３ｂが木枠１の側面に固定部材の一例として使用されるネジ４によって取り付けられることによって、水平部３ａが、ガラス２を上から木枠１の上面に押し付けて固定するものである。なお、ネジ４は皿ネジを使用し、その頭部が縁材３から突出しないようにして、外観性を良好に保っている。ガラス２に替えて、ポリカーボネイト板，アクリル板といった透明（無色、有色を含む）のプラスチック板を使用することもできる。
【００２３】
上記した構成の本実施形態に係る透明扉は、機械的強度に優れ、ガラス２と木材（木枠１と縁材３）の長所を共に良好に現出することができ、ガラス２の交換が容易で、さらに生産性に優れる。
【００２４】
すなわち、縁材３を木枠１に固定することによってガラス２を当該木枠１に固定するので、ガラス２に直接蝶番を取り付ける必要がなく、また、ガラス２を接着剤によって木枠１に取り付ける必要がない。従って、がたつきや接着剤の経時変化が発生せず、長期間にわたって十分な機械的強度を発揮する。
【００２５】
また、ガラス２は、その端部が縁材３の水平部３ａによって覆われるのみで、その大部分が露出しているので、ガラス２の長所である軽快感が良好に現出される。同時に、当該ガラス２を透して木製の木枠１が視覚されるので、木材の長所である温もり感と高級感が併せて良好に現れる。これにより、優れた外観性を発揮する。
【００２６】
さらに、ガラス２は縁材３によって木枠１に固定されているので、縁材３を木枠１から取り外すことによって、ガラス２を容易に取り外して新たなものと交換することができる。
【００２７】
またさらに、木枠１は四本の枠材１ａを組み付けて矩形状に形成するものであり、段差などを形成する必要がない。従って、加工が容易であり、生産性にも優れる。なお、木枠１を一枚ものとすることもできる。
【００２８】
なお、本実施形態に係る透明扉は、木枠１に取り付けられた状態における縁材３の水平部３ａの下面と、木枠１の上面との距離Ｄを、ガラス２の肉厚Ｔより小さく設定している。これによって、水平部３ａでガラス２を上から木枠１の上面に強く押し付けて、強固に固定することができ、その機械的強度をさらに高めることができる。
【００２９】
なお、この透明扉は、縁材３の側面に凹状の取っ手（手がかり）５を形成している。凹状の取っ手５は、縁材３から突出しておらず目立たないので、木枠１とガラス２と縁材３で構成される透明扉の平滑性を害さず、その良好な外観性を維持することができる。
【００３０】
本発明の実施形態に係る透明扉は、下記の手法によって生産することができる。
先ず、無垢材、集成材、あるいは合板やＭＤＦ、ＬＶＬ等に化粧単板や木目板の化粧シートを貼着した枠材１ａを矩形状に組み付けて木枠１を形成する。次に、この木枠の上面に、その全体を覆う大きさで、透明または半透明の板状のガラス２を載置する。この木枠１は、ガラス２と同一、またはそれよりやや大きいものとする。
【００３１】
続いて、断面Ｌ字状の四本の縁材３のそれぞれを、ガラス２の周囲を保持するようにして木枠１に取り付ける。この縁材３は、ガラス２を交換する際に着脱可能なように木ネジ４等の固定部材で固定する。なお、外観を損なわないように、下側又は上側の縁材に取っ手５を設けておく。この取っ手５は、金具を使用せずに、縁材３に掘り込むようにして凹状に形成することが好ましいが、多少外側に突出した形状としても良い。
【図面の簡単な説明】
【００３２】
【図１】本発明の実施形態に係る透明扉を示す分解斜視図である。
【図２】図１に示す透明扉の組立斜視図である。
【図３】図１に示す透明扉の要部拡大断面斜視図である。
【図４】図１に示す透明扉の要部拡大断面斜視図である。
【符号の説明】
【００３３】
１      木枠
１ａ    枠材
２      ガラス（透明板）
３      縁材
３ａ    水平部
３ｂ    垂直部
４      ネジ
５      取っ手
Ｄ      距離
Ｔ      ガラスの肉厚
【図１】
2006283490.tif 000003
【図２】
2006283490.tif 000004
【図３】
2006283490.tif 000005
【図４】
2006283490.tif 000006